(57)【特許請求の範囲】
【請求項１】
楽器本体と、この楽器本体内に設けられて鍵盤シャーシ上に複数の鍵が上下方向に回転可能に取り付けられた状態で配列された鍵盤部と、この鍵盤部における前記複数の鍵の押鍵操作に応じてそれぞれスイッチ動作するスイッチ部と、このスイッチ部のスイッチ動作に応じて楽音を前記楽器本体内に放音するスピーカとを備え、
前記鍵盤部における前記複数の鍵には、押鍵操作に応じて開口状態が変化する放音用の開口部がそれぞれ設けられていることを特徴とする電子鍵盤楽器。
【請求項２】
前記開口部は、前記複数の鍵における互いに隣接して対面する側面にそれぞれ設けられていることを特徴とする請求項１に記載の電子鍵盤楽器。
【請求項３】
前記複数の鍵は、複数の白鍵と複数の黒鍵とを有しており、前記開口部は、前記複数の白鍵の前端面にそれぞれ設けられていることを特徴とする請求項１または請求項２に記載の電子鍵盤楽器。
【請求項４】
前記複数の鍵は、複数の白鍵と複数の黒鍵とを有しており、前記開口部は、前記黒鍵の前端面が対面する前記白鍵の仕切面および前記黒鍵の前端面の両方にもそれぞれ設けられていることを特徴とする請求項１〜請求項３のいずれかに記載の電子鍵盤楽器。
【請求項５】
前記スイッチ部は、前記鍵が押鍵操作された際に、最初にオンする第１接点部と、この第１接点部がオンした後に時間差をおいてオンする第２接点部とを備えており、前記スピーカは、前記スイッチ部の前記第２接点部がオンした際に楽音の発音を開始し、前記第１接点部がオフになった際に楽音の発音を停止するように構成されており、前記開口部は、前記第１接点部がオン・オフする際に開口率が約５０％になり、前記第２接点部がオン・オフする際に開口率がほぼ１００％になることを特徴とする請求項１〜請求項４のいずれかに記載の電子鍵盤楽器。
【請求項６】
前記スイッチ部は、前記鍵が押鍵操作された際に、最初にオンする第１接点部と、この第１接点部がオンした後に時間差をおいてオンする第２接点部とを備えており、前記スピーカは、前記スイッチ部の前記第２接点部がオンした際に楽音の発音を開始し、前記第１接点部がオフになった際に楽音の発音を停止するように構成されており、前記開口部は、前記第１接点部がオン・オフする際に開口率が約８０％になり、前記第２接点部がオン・オフする際に開口率がほぼ１００％になることを特徴とする請求項１〜請求項４のいずれかに記載の電子鍵盤楽器。
【請求項７】
前記スイッチ部は、前記鍵が押鍵操作された際に、最初にオンする第１接点部と、この第１接点部がオンした後に時間差をおいてオンする第２接点部と、この第２接点部がオンした後に僅かな時間差をおいてオンする第３接点部とを備えており、前記スピーカは、前記スイッチ部の前記第３接点部がオンした際に前記第２接点部との時間差に応じた音質で楽音の発音を開始し、前記第１接点部がオフになった際に楽音の発音を停止するように構成されており、前記開口部は、前記第１接点部がオン・オフする際に開口率が約３０％になり、前記第２接点部がオン・オフする際に開口率が約６０％になり、前記第３接点部がオン・オフする際に開口率がほぼ１００％になることを特徴とする請求項１〜請求項４のいずれかに記載の電子鍵盤楽器。
【発明の詳細な説明】
【技術分野】
【０００１】
この発明は、電子ピアノなどの電子鍵盤楽器に関する。
【背景技術】
【０００２】
従来、電子鍵盤楽器においては、特許文献１に記載されているように、楽器本体内に複数の鍵が配列された鍵盤部を設けると共に、この鍵盤部の後方における楽器本体内にスピーカを設け、このスピーカによって鍵盤部における複数の鍵の押鍵操作に応じた楽音を鍵盤部の後部上方から楽器本体の外部に放音するように構成されたものが知られている。
【先行技術文献】
【特許文献】
【０００３】
【特許文献１】特開平０１−３２１４７９号公報
【０００４】
この種の電子鍵盤楽器では、鍵盤部の上方を開閉自在に覆う鍵盤蓋を楽器本体内の後部上側に収納させて鍵盤部を露出させ、この状態で露出した鍵盤部における複数の鍵を押鍵操作してスピーカから楽音を放音させると、その楽音が鍵盤蓋と鍵盤部との間から楽器本体の上部前側に向けて放音されるようになっている。
【発明の概要】
【発明が解決しようとする課題】
【０００５】
しかしながら、このような従来の電子鍵盤楽器では、鍵盤蓋と鍵盤部との間に操作パネルが配置されているため、スピーカからの音を効率良く十分に放音させることができず、楽器本体内に音がこもってしまうという問題があるほか、鍵盤部における複数の鍵の押鍵操作に応じてスピーカから放音された音を微妙に変化させて各鍵の間から放音することができない。
【０００６】
この発明が解決しようとする課題は、鍵盤部における複数の鍵の押鍵操作に応じてスピーカで発生した音を微妙に変化させて複数の鍵の間から良好に放音させることができる電子鍵盤楽器を提供することである。
【課題を解決するための手段】
【０００７】
この発明は、上記課題を解決するために、次のような構成要素を備えている。
請求項１に記載の発明は、楽器本体と、この楽器本体内に設けられて鍵盤シャーシ上に複数の鍵が上下方向に回転可能に取り付けられた状態で配列された鍵盤部と、この鍵盤部における前記複数の鍵の押鍵操作に応じてそれぞれスイッチ動作するスイッチ部と、このスイッチ部のスイッチ動作に応じて楽音を前記楽器本体内に放音するスピーカとを備え、前記鍵盤部における前記複数の鍵には、押鍵操作に応じて開口状態が変化する放音用の開口部がそれぞれ設けられていることを特徴とする電子鍵盤楽器である。
【０００８】
請求項２に記載の発明は、前記開口部が、前記複数の鍵における互いに隣接して対面する側面にそれぞれ設けられていることを特徴とする請求項１に記載の電子鍵盤楽器である。
【０００９】
請求項３に記載の発明は、前記複数の鍵が、複数の白鍵と複数の黒鍵とを有しており、前記開口部は、前記複数の白鍵の前端面にそれぞれ設けられていることを特徴とする請求項１または請求項２に記載の電子鍵盤楽器である。
【００１０】
請求項４に記載の発明は、前記複数の鍵が、複数の白鍵と複数の黒鍵とを有しており、前記開口部は、前記黒鍵の前端面と対面する前記白鍵の仕切面および前記黒鍵の前端面の両方にもそれぞれ設けられていることを特徴とする請求項１〜請求項３のいずれかに記載の電子鍵盤楽器である。
【００１１】
請求項５に記載の発明は、前記スイッチ部が、前記鍵の押鍵操作時に、最初にオンする第１接点部と、この第１接点部がオンした後に時間差をおいてオンする第２接点部とを備えており、前記スピーカは、前記スイッチ部の前記第２接点部がオンした際に楽音の発音を開始し、前記第１接点部がオフになった際に楽音の発音を停止するように構成されており、前記開口部は、前記第１接点部がオン・オフする際に開口率が約５０％になり、前記第２接点部がオン・オフする際に開口率がほぼ１００％になることを特徴とする請求項１〜請求項４のいずれかに記載の電子鍵盤楽器である。
【００１２】
請求項６に記載の発明は、前記スイッチ部が、前記鍵の押鍵操作時に、最初にオンする第１接点部と、この第１接点部がオンした後に時間差をおいてオンする第２接点部とを備えており、前記スピーカは、前記スイッチ部の前記第２接点部がオンした際に楽音の発音を開始し、前記第１接点部がオフになった際に楽音の発音を停止するように構成されており、前記開口部は、前記第１接点部がオン・オフする際に開口率が約８０％になり、前記第２接点部がオン・オフする際に開口率がほぼ１００％になることを特徴とする請求項１〜請求項４のいずれかに記載の電子鍵盤楽器である。
【００１３】
請求項７に記載の発明は、前記スイッチ部が、前記鍵の押鍵操作時に、最初にオンする第１接点部と、この第１接点部がオンした後に時間差をおいてオンする第２接点部と、この第２接点部がオンした後に僅かな時間差をおいてオンする第３接点部とを備えており、前記スピーカは、前記スイッチ部の前記第３接点部がオンした際に前記第２接点部との時間差に応じた音質で楽音の発音を開始し、前記第１接点部がオフになった際に楽音の発音を停止するように構成されており、前記開口部は、前記第１接点部がオン・オフする際に開口率が約３０％になり、前記第２接点部がオン・オフする際に開口率が約６０％になり、前記第３接点部がオン・オフする際に開口率がほぼ１００％になることを特徴とする請求項１〜請求項４のいずれかに記載の電子鍵盤楽器である。
【発明の効果】
【００１４】
この発明によれば、鍵盤部における複数の鍵を押鍵操作してスピーカが楽音を放音し、この放音された楽音が各鍵の開口部を通り抜ける際に、押鍵操作に応じて各鍵の開口部の開口状態が変化し、この開口部の開口状態の変化に応じて楽音を微妙に変化させることができる。このため、複数の鍵の押鍵操作に応じてスピーカで発生した音を微妙に変化させて複数の鍵の間から良好に放音させることができる。
【図面の簡単な説明】
【００１５】
【図１】この発明を適用した電子鍵盤楽器の実施形態１を示した正面図である。
【図２】図１の電子鍵盤楽器の平面図である。
【図３】図１の電子鍵盤楽器のＡ−Ａ矢視における拡大断面図である。
【図４】図３の電子鍵盤楽器において鍵盤蓋を閉じた状態を示した拡大断面図である。
【図５】図３のスイッチ部を示した拡大断面図である。
【図６】図２の鍵盤部における要部を示した拡大斜視図である。
【図７】図６の鍵を示し、（ａ）はその白鍵を示した拡大側面図、（ｂ）はその黒鍵を示した拡大側面図である。
【図８】図６の鍵盤部を押鍵操作した際におけるスイッチ部の各接点部のオン・オフ状態と鍵の開口部の開口率との関係を示した図である。
【図９】実施形態１の変形例において、鍵盤部を押鍵操作した際におけるスイッチ部の各接点部のオン・オフ状態と鍵の開口部の開口率との関係を示した図である。
【図１０】この発明を適用した電子鍵盤楽器の実施形態２を示した拡大断面図である。
【図１１】図１０のスイッチ部を示した拡大断面図である。
【図１２】図１０の鍵盤部を押鍵操作した際におけるスイッチ部の各接点部のオン・オフ状態と鍵の開口部の開口率との関係を示した図である。
【図１３】この発明を適用した電子鍵盤楽器の実施形態３において鍵盤部の要部を示した拡大斜視図である。
【図１４】図１３の鍵盤部を押鍵操作した際におけるスイッチ部の各接点部のオン・オフ状態と鍵の開口部の開口率との関係を示した図である。
【図１５】この発明を適用した電子鍵盤楽器の実施形態４において鍵盤部の要部を示した拡大斜視図である。
【図１６】図１５の鍵盤部において黒鍵を押鍵操作した状態における白鍵と黒鍵とを示した拡大断面図である。
【図１７】図１６の白鍵を示した拡大斜視図である。
【発明を実施するための形態】
【００１６】
（実施形態１）
以下、図１〜図８を参照して、この発明を適用した電子鍵盤楽器の実施形態１について説明する。
この電子鍵盤楽器は、図１および図２に示すように、楽器本体１を備えている。この楽器本体１は、左右両側の一対の側板２と、この一対の側板２間における上端部から下側に位置する箇所に設けられた底板３と、この底板３の前端部に起立して設けられた前板４と、底板３の後端部に起立して設けられた背面板５と、この背面板５および一対の側板２の各上端部に配置された天板６と、一対の側板２間における下端部に設けられたフットペダル７とを備えている。
【００１７】
この場合、一対の側板２は、図１に示すように、楽器本体１のスタンドとしての脚部を兼ねるものであり、図３に示すように、その上端部における前側（図３では左側）の半分程度が前下がりに傾斜し、その後側の半分程度が水平に形成されている。前板４は、図３に示すように、背面板５の半分程度の高さに形成されている。また、天板６は、一対の側板２の上端部における後側の水平部分と背面板５の上端部とに亘って取り付けられている。これにより、楽器本体１は、図２および図３に示すように、前側(図３では左側)の半分程度が上方に開放された構成になっている。
【００１８】
この楽器本体１内における底板３上には、図１〜図４に示すように、鍵盤部８が上方に開放された前側の半分程度に位置する箇所に対応して配置されている。この鍵盤部８は、図３および図４に示すように、楽器本体１の底板３上に配置された鍵盤シャーシ１０を備えている。この鍵盤シャーシ１０には、上下方向に回転可能に設けられた複数の鍵１１と、この複数の鍵１１の押鍵操作に応じて各鍵１１にそれぞれアクション荷重を付与する複数のハンマー部材１２と、複数の鍵１１の各押鍵操作に応じてそれぞれスイッチ信号を出力するスイッチ部１３と、複数の鍵１１の内側にそれぞれ光を照射する複数の発光部１４とが設けられている。
【００１９】
この場合、複数の鍵１１は、図１〜図４に示すように、複数の白鍵１１ａおよび複数の黒鍵１１ｂからなり、光透過性を有する合成樹脂によって形成され、その各後端部が鍵盤シャーシ１０の後側上部（図３では右側上部）に設けられた鍵支持部１０ａの各軸部１１ａにそれぞれ上下方向に回転可能に取り付けられ、この状態で図２に示すように、音階順に多数配列された構成になっている。
【００２０】
複数のハンマー部材１２は、図３および図４に示すように、複数の鍵１１の下側にそれぞれ対応した状態で、鍵盤シャーシ１０に設けられたハンマー支持部１０ｂの各軸部１２ａにそれぞれ上下方向に回転可能に取り付けられている。これにより、複数のハンマー部材１２は、複数の鍵１１の押鍵操作に応じてそれぞれ押し下げられる際に、各ハンマー部材１２がその重量に抗して軸部１２ａを中心に図３において反時計回りに回転することにより、各鍵１１にそれぞれアクション荷重を付与するように構成されている。
【００２１】
また、この複数のハンマー部材１２は、図３および図４に示すように、鍵１１が押鍵操作されない初期状態のときに、ハンマー部材１２の後端部が楽器本体１の底板３上に、金属製の取付板１５を介して配置されたフェルトなどの下限ストッパ部１６に上方から当接することにより、ハンマー部材１２の下限位置が規制されるように構成されている。この場合、取付板１５は、鍵盤シャーシ１０の後端下に取り付けられ、鍵盤シャーシ１０と共に楽器本体１内の底板３上に配置されている。
【００２２】
スイッチ部１３は、図３〜図５に示すように、スイッチ基板１７上にゴムシート１８を配置した構成になっている。この場合、ゴムシート１８には、ドーム状の膨出部１８ａが鍵１１のスイッチ押圧部１９にそれぞれ対応して形成されている。このドーム状の膨出部１８ａは、スイッチ押圧部１９によって押圧された際に、弾性変形してスイッチ信号を出力するように構成されている。
【００２３】
すなわち、このドーム状の膨出部１８ａは、第１、第２の各接点部１３ａ、１３ｂを備えている。第１接点部１３ａは、図５に示すように、ドーム状の膨出部１８ａ内に設けられた第１可動接点１８ｂと、スイッチ基板１７上に設けられて第１可動接点１８ｂが接離可能に接触する第１固定接点１８ｃとを備えている。第２接点部１３ｂは、第１接点部１３ａと同様、ドーム状の膨出部１８ａ内に設けられた第２可動接点１８ｄと、スイッチ基板１７上に設けられて第２可動接点１８ｄが接離可能に接触する第２固定接点１８ｅとを備えている。
【００２４】
この場合、第１接点部１３ａは、図５に示すように、第１可動接点１８ｂと第１固定接点１８ｃとの間隔が、第２接点部１３ｂにおける第２可動接点１８ｄと第２固定接点１８ｅとの間隔よりも短く設定されている。これにより、第１接点部１３ａは、鍵１１が押鍵操作された際に、第２接点部１３ｂよりも早くオン動作するように構成されている。
【００２５】
また、第２接点部１３ｂは、第２可動接点１８ｄと第２固定接点１８ｅとの間隔が、第１接点部１３ａにおける第１可動接点１８ｂと第１固定接点１８ｃとの間隔よりも長く設定されている。これにより、第２接点部１３ｂは、鍵１１が押鍵操作された際に、第１接点部１３ａよりも遅くオン動作するように構成されている。
【００２６】
これにより、スイッチ部１３は、鍵１１が押鍵操作された際に、第１接点部１３ａが最初にオンし、この後、時間差をおいて第２接点部１３ｂがオンするように構成されている。また、このスイッチ部１３は、鍵１１が押鍵操作された後に初期位置に復帰する際に、まず、第２接点部１３ｂがオフし、この後、時間差をおいて第１接点部１３ａがオフするように構成されている。
【００２７】
複数の発光部１４は、それぞれ発光ダイオード（ＬＥＤ）などの発光素子からなり、図３および図４に示すように、鍵盤シャーシ１０上に複数の鍵１１である各白鍵１１ａおよび各黒鍵１１ｂの各前部側にそれぞれ対応して設けられている。この場合、白鍵１１ａに対応する発光部１４は、鍵盤シャーシ１０の前側上部に設けられて、白鍵１１ａの前側内部に光を照射するように構成されている。
【００２８】
また、黒鍵１１ｂに対応する発光部１４は、鍵盤シャーシ１０の中間部における上部に設けられて、黒鍵１１ｂの前側内部に光を照射するように構成されている。これにより、複数の発光部１４は、発光した光がそれぞれ各鍵１１の前側内部に照射され、その照射された光が各鍵１１を透過することにより、押鍵操作に応じて各鍵１１の前部側をそれぞれ光らせるように構成されている。
【００２９】
ところで、この楽器本体１には、図３および図４に示すように、鍵盤部８の上側を開閉自在に覆う鍵盤蓋２０がスライド可能に設けられている。この鍵盤蓋２０は、鍵盤部８を操作しないときに、図４に示すように、鍵盤部８の上方に配置されて鍵盤部８を覆い、鍵盤部８を操作するときに、図３に示すように、楽器本体１内の後部側（図３では右側）に収納されて鍵盤部８を露出させるように構成されている。
【００３０】
すなわち、この鍵盤蓋２０は、前蓋２０ａと後蓋２０ｂとに分割され、この分割された前蓋２０ａと後蓋２０ｂとが連結部２１によって上下方向に回転可能に連結された構成になっている。この場合、前蓋２０ａの前端部（図３では左端部）には、図３および図４に示すように、前側ガイド軸２２が設けられていると共に、鍵盤蓋２０を開閉するための取手部２３が設けられている。また、後蓋２０ｂの後端部（図３では右端部）には、後側ガイド軸２４が設けられており、この後側ガイド軸２４には、ピニオンギア２５が回転自在に取り付けられている。
【００３１】
また、楽器本体１における一対の側板２の内面における前側上部（図３では左側上部）には、図３および図４に示すように、鍵盤蓋２０の前蓋２０ａに設けられた前側ガイド軸２２をスライド可能にガイドする前側ガイド部２６が設けられている。この前側ガイド部２６は、一対の側板２の内面に前後方向（図３では左右方向）に沿って設けられた溝部である。
【００３２】
さらに、この楽器本体１における一対の側板２の内面における後部上側（図３では右上側）には、図３および図４に示すように、鍵盤蓋２０の後蓋２０ｂに設けられた後側ガイド軸２４をスライド可能にガイドする後側ガイド部２７が後部下がり（図３では右下がり）に円弧状に湾曲した状態で傾斜して設けられている。この後側ガイド部２７には、ピニオンギア２５が噛み合って転動するラックギア２８が後側ガイド部２７に沿って設けられている。
【００３３】
これにより、鍵盤蓋２０は、図４に示すように、取手部２３を楽器本体１の前側(図４では左側)に移動させて、前側ガイド軸２２を前側ガイド部２６の前端部に位置させると、後側ガイド軸２４が後側ガイド部２７の前側上部に位置すると共に、ピニオンギア２５がラックギア２８の前側上部に位置する。これにより、鍵盤蓋２０は、前蓋２０ａと後蓋２０ｂとが前下がりに傾斜した状態で、鍵盤部８の上側を覆うように構成されている。
【００３４】
また、この鍵盤蓋２０は、図３および図４に示すように、取手部２３を持ち上げながら楽器本体１の後側(図４では右側)に移動させると、前側ガイド軸２２が前側ガイド部２６に沿って後方に移動すると共に、後側ガイド軸２４が後側ガイド部２７に沿って後方に移動しながらピニオンギア２５がラックギア２８に噛み合って後方に向けて転動するように構成されている。
【００３５】
このときに、鍵盤部２０は、ピニオンギア２５がラックギア２８に沿って斜め下側に移動すると共に、後側ガイド軸２４が後側ガイド部２７に沿って斜め下側に移動することにより、後蓋２０ｂが前蓋２０ａに対して連結部２１を中心に徐々に折れ曲がりながら斜め後側下部（図４では右側下部）に向けて移動するように構成されている。
【００３６】
また、この鍵盤蓋２０は、図３に示すように、後側ガイド軸２４が後側ガイド部２７の後端下部（図３では右端下部）に位置し、ピニオンギア２５がラックギア２８の後端下部に位置すると、後蓋２０ｂが楽器本体１内における鍵盤部８の後方に起立して配置されるように構成されている。
【００３７】
このときに、鍵盤蓋２０は、図３に示すように、前蓋２０ａの前側ガイド軸２２が前側ガイド部２６の後端部（図３では右端部）に位置し、この状態で前蓋２０ａの前部が前側ガイド軸２２によって保持され、前蓋２０ａの後部が後蓋２０ｂの前端部（図３では上端部）によって保持されることにより、前蓋２０ａが天板６の下側にこれとほぼ平行な状態で配置されて、鍵盤部８を上方に露出させるように構成されている。
【００３８】
ところで、この楽器本体１における底板３の下部両側には、図１に示すように、スピーカ部３０がそれぞれ設けられている。このスピーカ部３０は、図３および図４に示すように、楽器本体１の底板３に設けられた放音口３３を囲うスピーカボックス３１と、このスピーカボックス３１内に配置されたスピーカ３２とを備えている。
【００３９】
スピーカボックス３１は、図３〜図５に示すように、その上面側が上方に開放された箱状に形成されている。この場合、スピーカボックス３１の前面（図３では左面）は、斜め上側に向けて傾斜しており、このスピーカボックス３１の外面には、上下方向に細長いスリット状の多数の放音孔３１ａが設けられている。そして、このスピーカボックス３１は、楽器本体１の底板３に設けられた放音口３３を囲った状態で、底板３の下面に取り付けられている。
【００４０】
スピーカ３２は、図１、図３および図４に示すように、音を発生するバッフル面側（図３では上面側）を上に向けた状態で、底板３の下面両側にそれぞれ防塵ネット部材３４を介して取り付けられている。これにより、スピーカ３２は、発音した音のほとんどが底板３の放音口３３を通して楽器本体１の内部に放音されると共に、残りの音がスピーカボックス３１の各放音孔３１ａから底板３の下側に放音されるように構成されている。
【００４１】
この場合、底板３の放音口３３は、図３および図４に示すように、楽器本体１の内部と外部とに開放された貫通孔であり、底板３の両側にそれぞれ設けられている。この放音口３３には、図３および図４に示すように、その上側にハンマー部材１２の下限ストッパ部１６を配置するためのリブ３３ａがそれぞれ鍵１１の配列方向に沿って設けられている。
【００４２】
防塵ネット部材３４は、金属板に多数の小孔をパンチングによって形成した防塵機能を有するパンチネットであり、強度の高い板状に形成され、底板３の放音口３３を覆った状態で、底板３の下面両側にそれぞれ取り付けられている。これにより、防塵ネット部材３４は、ゴミなどの異物がスピーカ３２内に侵入するのを防ぐ防塵機能を備えているほか、放音口３３が設けられた箇所の底板３およびリブ３３ａの強度を補強する補強機能をも兼ね備えた構成になっている。
【００４３】
一方、鍵盤部８における複数の鍵１１には、図６および図７に示すように、押鍵操作に応じて開口状態が変化する複数の開口部３５がそれぞれ設けられている。この複数の開口部３５は、複数の鍵１１における互いに隣接して対面する各側面にそれぞれ設けられている。すなわち、複数の開口部３５は、図６および図７に示すように、白鍵１１ａと黒鍵１１ｂとが対面する白鍵１１ａと黒鍵１１ｂとの各側面の箇所、および白鍵１１ａ同士が対面する白鍵１１ａの各側面の箇所にそれぞれ設けられている。
【００４４】
この場合、白鍵１１ａと黒鍵１１ｂとが対面する白鍵１１ａと黒鍵１１ｂとにおける各側面の箇所のうち、白鍵１１ａの側面に設けられた開口部３５は、図７（ａ）に示すように、隣接する黒鍵１１ｂが押鍵されていない初期状態で、隣接する黒鍵１１ｂの側面によって隠されることにより、塞がれた状態になるように構成されている。また、この白鍵１１ａの側面に設けられた開口部３５は、図７（ａ）に示すように、隣接する黒鍵１１ｂが押鍵されると、徐々に開口量が多くなり、隣接する黒鍵１１ｂが最も深く押されたときに開口量が最大になるように形成されている。
【００４５】
また、白鍵１１ａと黒鍵１１ｂとが対面する白鍵１１ａと黒鍵１１ｂとにおける各側面の箇所のうち、黒鍵１１ｂの側面に設けられた開口部３５は、図６および図７（ｂ）に示すように、隣接する白鍵１１ａが押鍵されていない初期状態で、隣接する白鍵１１ａの側面によって隠されることにより、塞がれた状態になるように構成されている。また、この黒鍵１１ｂの側面に設けられた開口部３５は、図６および図７（ｂ）に示すように、隣接する白鍵１１ａが押鍵されると、徐々に開口量が多くなり、隣接する白鍵１１ａが最も深く押されたときに開口量が最大になるように形成されている。
【００４６】
また、白鍵１１ａ同士が対面する白鍵１１ａの各側面に設けられた各開口部３５は、図６および図７（ａ）に示すように、隣接する白鍵１１ａが押鍵されていない初期状態で、隣接する白鍵１１ａの側面によって隠されることにより、塞がれた状態になるように構成されている。また、この白鍵１１ａの側面に設けられた開口部３５は、図６および図７（ａ）に示すように、隣接する白鍵１１ａが押鍵されると、徐々に開口量が多くなり、隣接する白鍵１１ａが最も深く押されたときに開口量が最大になるように形成されている。
【００４７】
この場合、複数の鍵１１における互いに隣接して対面する各側面に設けられた開口部３５は、押鍵操作時に開口部３５が露出しても、開口部３５が外部から見えないように隠すための、不織布などの音を通すシート（図示せず）が各鍵１１の側面にそれぞれ貼り付けられた構成にしても良い。
【００４８】
また、複数の鍵１１における互いに隣接して対面する各側面に設けられた開口部３５は、図８に示すように、鍵１１が押鍵操作されてスイッチ部１３の第１接点部１３ａがオンした際に開口率が約５０％になり、第１接点部１３ａがオンした後に時間差をおいて第２接点部１３ｂがオンした際に開口率がほぼ１００％になるように構成されている。この場合、各開口部３５は、その上下方向の長さや前後方向の長さである幅が、スピーカ３２の性能および楽器本体１内の内部音響に応じて調整された状態で形成されている。
【００４９】
スイッチ部１３は、鍵１１が押鍵操作されて第１接点部１３ａが最初にオンした後に、時間差をおいて第２接点部１３ｂがオンすると、その時間差に応じた音量および音質で、スピーカ３２からの楽音の発音を開始させ、この後、鍵１１が初期位置に向けて復帰する際に、第２接点部１３ｂがオフになった後に、時間差をおいて第１接点部１３ａがオフになると、スピーカ３２からの楽音の発音を停止させるように構成されている。
【００５０】
このため、複数の鍵１１における互いに隣接して対面する各側面に設けられた開口部３５は、図８に示すように、鍵１１が押鍵操作されて第１接点部１３ａが最初にオンした際に、開口率が約５０％になり、この後、時間差をおいて第２接点部１３ｂがオンしてスピーカ３２からの楽音の発音が開始される際に、開口率がほぼ１００％になるように構成されている。
【００５１】
また、複数の鍵１１における互いに隣接して対面する各側面に設けられた開口部３５は、鍵１１が押鍵された後に初期位置に向けて復帰する際に、第２接点部１３ｂがオフになっても、開口率がほぼ１００％に保たれ、この後、時間差をおいて第１接点部１３ａがオフになる間では、開口率が徐々に下がり、第１接点部１３ａがオフになり、スピーカ３２からの楽音の発音が停止される際に、開口率が約５０％になるように構成されている。
【００５２】
次に、この電子鍵盤楽器を使用する場合について説明する。
まず、図４に示すように、鍵盤部８の上側を覆っている鍵盤蓋２０を図３に示すように、開いて鍵盤部８を露出させる。このときには、前蓋２０ａの前端部に設けられた取手部２３を持ち上げながら楽器本体１の後側(図４では右側)に移動させる。すると、前側ガイド軸２２が前側ガイド部２６に沿って後方に移動すると共に、後側ガイド軸２４が後側ガイド部２７に沿って後方に移動しながらピニオンギア２５がラックギア２８に噛み合って後方に向けて転動する。
【００５３】
そして、図３に示すように、後側ガイド軸２４が後側ガイド部２７の後端下部（図３では右端下側）に位置して保持されると共に、ピニオンギア２５がラックギア２８の後端下部に位置して保持されると、後蓋２０ｂが楽器本体１内における鍵盤部８の後方に起立する。また、前蓋２０ａは、図３に示すように、その前部が前側ガイド軸２２によって保持され、前蓋２０ａの後部が後蓋２０ｂの前端部(図３では上端部)によって保持された状態で、前蓋２０ａが天板６の下側に接近してほぼ平行に配置される。これにより、鍵盤蓋２０がほぼ直角に折り曲げられた状態で楽器本体１内の後部側に収納されて、鍵盤部８を楽器本体１の前側上部に露出させる。
【００５４】
この状態で、鍵盤部８を押鍵操作して演奏を行うと、その押鍵操作に応じてスピーカ３２が演奏音を放音する。このときには、スピーカ３２で発音された演奏音のほとんどが、楽器本体１の底板３に設けられた放音口３３から楽器本体１の内部に放音され、この放音された演奏音が鍵盤部８側から楽器本体１の前側外部に向けて放音される。
【００５５】
この場合、楽器本体１内に放音された演奏音は、そのほとんどが鍵盤部８の鍵盤シャーシ１０内を通り、鍵盤部８における複数の鍵１１の各隙間を通り抜けて、鍵盤部８の斜め前側上方に向けて放音される。このときには、鍵盤部８における複数の鍵１１が押鍵操作されて第１接点部１３ａが最初にオンする際に、鍵１１に設けられた開口部３５の開口率が約５０％になり、この後、時間差をおいて第２接点部１３ｂがオンしてスピーカ３２からの楽音の発音を開始させる際に、開口部３５の開口率がほぼ１００％になる。
【００５６】
このため、鍵盤部８における複数の鍵１１の各隙間を通り抜ける演奏音は、押鍵された鍵１１に隣接する鍵１１の開口部３５がほぼ１００％の開口率であることにより、押鍵された鍵１１に隣接する鍵１１の開口部３５から鍵盤部８の斜め前側上方に向けて明るい音で良好に放音される。この状態で、鍵１１が更に押された後に初期位置に向けて復帰する際に、第２接点部１３ｂがオフになっても、開口率がほぼ１００％に保たれているので、演奏音が鍵盤部８の斜め前側上方に向けて良好に放音される。
【００５７】
この後、第２接点部１３ｂがオフになり、時間差をおいて第１接点部１３ａがオフになり、スピーカ３２からの演奏音の発音が停止されるまでの間は、開口部３５の開口率が徐々に下がり、第２接点部１３ｂがオフになると、開口部３５の開口率が約５０％になる。このときには、開口部３５の開口率が１００％〜５０％の間で変化するので、この開口部３５の開口率の変化によって楽音の音量および音質をコントロールすることができる。このため、開口部３５の開口率の変化に応じて演奏音の音色を微妙に変化させることができると共に、スピーカ３２で発音された演奏音よりも、演奏者の押鍵操作に応じた音量および音質の演奏音を忠実に再現することができる。
【００５８】
なお、楽器本体１内にスピーカ３２で放音された演奏音のうち、鍵盤部８の鍵盤シャーシ１０内を通り、複数の鍵１１の間を通り抜けない残りの演奏音は、楽器本体１内の後部側に収納されてほぼ直角に折り曲げられた鍵盤蓋２０によって反射されて鍵盤部８の上方から楽器本体１の前側に向けて放音されると共に、鍵盤蓋２０と楽器本体１の背面板５および天板６との間の隙間６を通り抜けて鍵盤部８の上方から楽器本体１の前側に向けて放音される。
【００５９】
また、スピーカ３２で発音されて楽器本体１内に放音されない残りの演奏音は、スピーカボックス３１の各放音孔３１ａから楽器本体１の底板３の下側に向けて放音されることにより、演奏者にその足元から回り込んで聞こえることになる。これにより、スピーカ３２で発音された演奏音は、楽器本体１の鍵盤部８側から楽器本体１の前側に放音された演奏音と、楽器本体１の底板３の下側に放音された演奏音との両方によって、楽器全体から放音されているように、演奏者に聞こえる。
【００６０】
このように、この電子鍵盤楽器によれば、楽器本体１と、楽器本体１内に設けられて鍵盤シャーシ１０上に複数の鍵１１が上下方向に回転可能に取り付けられた状態で配列された鍵盤部８と、この鍵盤部８における複数の鍵１１の押鍵操作に応じてそれぞれスイッチ動作するスイッチ部１３と、このスイッチ部１３のスイッチ動作に応じて楽音を楽器本体１内に放音するスピーカ３２とを備え、鍵盤部８における複数の鍵１１に、押鍵操作に応じて開口状態が変化する放音用の開口部３５を設けた構成であるから、複数の鍵１１の押鍵操作に応じてスピーカ３２で発生した音を微妙に変化させて複数の鍵１１の間から良好に放音させることができる。
【００６１】
すなわち、この電子鍵盤楽器によれば、鍵盤部８における複数の鍵１１を押鍵操作してスピーカ３２が楽音を楽器本体１内に放音し、そのほとんどの楽音が鍵盤部８の鍵盤シャーシ１０内を通り、鍵盤部８における複数の鍵１１の各開口部３５を通り抜けて各鍵１１の間から放音される際に、押鍵操作に応じて鍵１１の開口部３５の開口量が変化するので、各鍵１１の開口部３５における開口状態の変化に応じて、楽音を微妙に変化させることができる。このため、複数の鍵１１の押鍵操作に応じてスピーカ３２で発生した音を微妙に変化させて複数の鍵１１の間から演奏者に向けて良好に放音させることができる。
【００６２】
この場合、開口部３５は、複数の鍵１１における互いに隣接して対面する側面にそれぞれ設けられているので、隣接する鍵１１が押鍵されていない初期状態では、隣接する鍵１１の側面によって開口部３５を隠すことができ、これにより外観的に好ましいものを得ることができる。また、鍵１１を押鍵した際には、これに隣接する鍵１１の開口部３５を露呈させることができると共に、その露呈した開口部３５の開口量を押鍵操作に応じて変化させることができるので、開口部３５を通り抜ける楽音の音量および音質のコントロールが可能になり、楽音の音色を微妙に変化させることができると共に、スピーカ３２で発音された楽音よりも、演奏者による押鍵操作に応じた音量および音質の楽音を忠実に再現することができる。
【００６３】
また、スイッチ部１３は、鍵１１が押鍵操作された際に、最初にオンする第１接点部１３ａと、この第１接点部１３ａがオンした後に時間差をおいてオンする第２接点部１３ｂとを備えており、スピーカ３２は、スイッチ部１３の第２接点部１３ｂがオンした際に楽音の発音を開始し、第１接点部１３ａがオフになった際に楽音の発音を停止するように構成されており、開口部３５は、第１接点部１３ａがオンする際に開口率が約５０％になり、第２接点部１３ｂがオンする際に開口率がほぼ１００％になるので、開口率がほぼ１００％と開口率が約５０％との間で開口率を変化させることができるので、熟練者が演奏する際に、スピーカ３２から放音された楽音の音色を微妙に変化させることができる。
【００６４】
すなわち、鍵盤部８における複数の鍵１１は、押鍵操作されて第１接点部１３ａが最初にオンした際に、鍵１１に設けられた開口部３５の開口率が約５０％になり、この後、時間差をおいて第２接点部１３ｂがオンしてスピーカ３２からの楽音の発音が開始される際に、開口部３５の開口率がほぼ１００％になるので、鍵盤部８における複数の鍵１１の各開口部３５を通り抜ける演奏音が、押鍵された鍵１１に隣接する鍵１１の開口部３５から鍵盤部８の斜め前側上方に向けて明るい音で良好に放音することができる。
【００６５】
この状態で、鍵１１が更に押された後に初期位置に向けて復帰する際に、第２接点部１３ｂがオフになっても、開口率がほぼ１００％に保たれているので、演奏音を鍵盤部８の斜め前側上方に向けて良好に放音することができる。この後、第２接点部１３ｂがオフになり、時間差をおいて第１接点部１３ａがオフになり、スピーカ３２からの演奏音の発音が停止されるまでの間は、開口部３５の開口率が徐々に下がり、第２接点部１３ｂがオフになると、開口部３５の開口率が約５０%になる。
【００６６】
このため、開口部３５の開口率を１００％〜５０％の間で変化させることができるので、この開口部３５の開口量の変化に応じて開口部３５を通り抜ける楽音の音量および音質のコントロールが可能になる。これにより、熟練者が演奏する際に、スピーカ３２で発音された楽音の音色を微妙に変化させることができるので、スピーカ３２で発音された楽音よりも、演奏者による押鍵操作に応じた音量および音質の楽音を忠実に再現することができ、これにより演奏の表現力を向上させることができる。
【００６７】
なお、上述した実施形態１では、開口部３５の開口率をスイッチ部１３の第１接点部１３ａがオンした際に約５０％にし、第２接点部１３ｂがオンした際にほぼ１００％になるように構成した場合について述べたが、これに限らず、例えば図９に示す変形例のように、スイッチ部１３の第１接点部１３ａがオンした際に開口率が約８０％になり、第２接点部１３ｂがオンした際に開口率がほぼ１００％になるように構成しても良い。
【００６８】
このように構成すれば、鍵１１が押鍵操作されて、スイッチ部１３の第１接点部１３ａがオンした際に、開口部３５の開口率が約８０％になり、第２接点部１３ｂがオンした際に開口率がほぼ１００％になることにより、開口率がほぼ１００％と開口率が約８０％との間で開口率を変化させることができ、その変化量を少なくすることができる。これにより、演奏者が演奏する際に、スピーカ３２から放音された楽音の音色の変化を小さく抑えることができるので、初心者でも良好に演奏することができる。
【００６９】
（実施形態２）
次に、図１０〜図１２を参照して、この発明を適用した電子鍵盤楽器の実施形態２について説明する。なお、図１〜図８に示された実施形態１と同一部分には同一符号を付して説明する。
この電子鍵盤楽器は、図１０および図１１に示すように、スイッチ部４０が実施形態１と異なる構成であり、これ以外は実施形態１とほぼ同じ構成になっている。
【００７０】
すなわち、スイッチ部４０は、図１０および図１１に示すように、鍵１１が押鍵操作された際に、鍵１１によってスイッチ動作する第１スイッチ４１と、鍵１１の押鍵操作に伴って回転するハンマー部材１２によってスイッチ動作する第２スイッチ４２とを備えている。このスイッチ部４０は、鍵１１が押鍵操作された際に、最初に第１スイッチ４１が鍵１１によってオンし、この第１スイッチ４１がオンした後に、時間差をおいて第２スイッチ４２がハンマー部材１２によってオンするように構成されている。
【００７１】
第１スイッチ４１は、図１１に示すように、スイッチ基板１７上にゴムシート４３を設けた構成になっている。この場合、ゴムシート４３には、ドーム状の膨出部４４が鍵１１のスイッチ押圧部１９にそれぞれ対応して形成されている。このドーム状の膨出部４４は、第１接点部４０ａを備え、スイッチ押圧部１９によって押圧された際に、弾性変形して第１接点部４０ａをオンさせるように構成されている。すなわち、この第１接点部４０ａは、図１１に示すように、ドーム状の膨出部４４内に設けられた第１可動接点４４ａと、スイッチ基板１７上に設けられて第１可動接点４４ａが接離可能に接触する第１固定接点４４ｂとを備えている。
【００７２】
また、第２スイッチ部４２は、図１１に示すように、スイッチ基板１７の下面にゴムシート４５を配置した構成になっている。この場合、ゴムシート４５には、ドーム状の膨出部４６がハンマー部材１２のスイッチ押圧部４７にそれぞれ対応して形成されている。このドーム状の膨出部４６は、第２、第３の各接点部４０ｂ、４０ｃを備え、ハンマー部材１２のスイッチ押圧部４７によって押圧された際に、弾性変形して第２、第３の各接点部４０ｂ、４０ｃを順次オンさせるように構成されている。
【００７３】
すなわち、第２接点部４０ｂは、図１１に示すように、ドーム状の膨出部４６内に設けられた第２可動接点４６ａと、スイッチ基板１７の下面に設けられて第２可動接点４６ａが接離可能に接触する第２固定接点４６ｂとを備えている。第３接点部４０ｃは、第２接点部４０ｂと同様、ドーム状の膨出部４６内に設けられた第３可動接点４６ｃと、スイッチ基板１７の下面に設けられて第３可動接点４６ｃが接離可能に接触する第３固定接点４６ｄとを備えている。
【００７４】
この場合、第２接点部４０ｂは、図１１に示すように、第２可動接点４５ａと第２固定接点４６ｂとの間隔が、第３接点部４０ｃにおける第３可動接点４６ｃと第３固定接点４６ｄとの間隔よりも短く設定されている。この第２接点部４０ｂは、第３接点部４０ｃよりも早くオン動作するように構成されている。
【００７５】
また、第３接点部４０ｃは、第３可動接点４６ｃと第３固定接点４６ｄとの間隔が、第２接点部４０ｂにおける第２可動接点４６ａと第２固定接点４６ｂとの間隔よりも長く設定されている。この第３接点部４０ｃは、第２接点部４０ｂよりも遅くオン動作するように構成されている。従って、第２スイッチ４２は、鍵１１の押鍵操作に伴ってハンマー部材１２が回転してスイッチ押圧部４７によって押圧された際に、まず、第２接点部４０ｂがオンし、この後、僅かな時間差をおいて第３接点部４０ｃがオンするように構成されている。
【００７６】
これにより、スイッチ部４０は、鍵１１が押鍵操作されると、最初に第１スイッチ４１が鍵１１のスイッチ押圧部１９によって押されて第１接点部４０ａがオンし、この第１接点部４０ａがオンした後に、鍵１１の押鍵操作に伴って回転するハンマー部材１２のスイッチ押圧部４７によって第２スイッチ４２が押されて、まず、第２スイッチ４２の第２接点部４０ｂがオンした後に、僅かな時間差をおいて第２スイッチ４２の第３接点部４０ｃがオンするように構成されている。
【００７７】
また、このスイッチ部４０は、鍵１１が押鍵操作されて第１接点部４０ａが鍵１１のスイッチ押圧部１９によって最初にオンし、この後、鍵１１の押鍵操作に伴って回転するハンマー部材１２のスイッチ押圧部４７によって第２接点部４０ｂがオンした後、僅かな時間差をおいて第３接点部４０ｃがオンすると、第２接点部４０ｂと第３接点部４０ｃとの時間差に応じた音量および音質で、スピーカ３２から楽音の発音を開始させるように構成されている。
【００７８】
さらに、このスイッチ部４０は、押鍵された鍵１１が初期位置に向けて復帰する際に、ハンマー部材１２のスイッチ押圧部４７が第２スイッチ４２から離れて、第３接点部４０ｃおよび第２接点部４０ｂがその順で順次オフした後に、鍵１１のスイッチ押圧部１９が第１スイッチ４１から離れて、第１接点部４０ａがオフになると、スピーカ３２からの楽音の発音を停止させるように構成されている。
【００７９】
このため、複数の鍵１１における互いに隣接して対面する各側面に設けられた開口部３５は、図１２に示すように、鍵１１が押鍵操作されて第１接点部４０ａが最初にオンした際に、開口率が約３０％になり、この後、第２接点部４０ｂがオンした際に、開口率が約６０％になり、更にこの後、僅かな時間差をおいて第３接点部４０ｃがオンしてスピーカ３２からの楽音の発音が開始される際に、開口率がほぼ１００％になるように構成されている。
【００８０】
また、複数の鍵１１における互いに隣接して対面する各側面に設けられた開口部３５は、第３接点部４０ｃがオンしてスピーカ３２からの楽音の発音が開始された後に、鍵１１が初期位置に向けて復帰する際に、上述した場合とは逆に、第３接点部４０ｃがオフになると、開口率がほぼ１００％から徐々に下がり始め、第２接点部４０ｂがオフになると、開口率が６０％に下がり、更に第１接点部４０ａがオフになり、スピーカ３２からの楽音の発音が停止される際に、開口率が約３０%になるように構成されている。
【００８１】
このような電子鍵盤楽器によれば、実施形態１と同様の作用効果があるほか、スイッチ部４０が、鍵１１の押鍵操作時に、最初にオンする第１接点部４０ａと、この第１接点部４０ａがオンした後にオンする第２接点部４０ｂと、この第２接点部４０ｂがオンした後に僅かな時間差をおいてオンする第３接点部４０ｃとを備えており、スピーカ３２は、スイッチ部４０の第３接点部４０ｃがオンした際に第２接点部４０ｂとの時間差に応じた音量および音質で楽音の発音を開始し、第１接点部４０ａがオフになった際に楽音の発音を停止する構成であり、開口部３５は、第１接点部４０ａがオンした際に開口率が約３０％になり、第２接点部４０ｂがオンした際に開口率が約６０％になり、第３接点部４０ｃがオンした際に開口率がほぼ１００％になることにより、熟練者が演奏する際に、スピーカ３２から放音された楽音の音色を極めて微妙に変化させることができる。
【００８２】
すなわち、複数の鍵１１における互いに隣接して対面する各側面に設けられた開口部３５は、図１２に示すように、鍵１１が押鍵操作されて第１接点部４０ａが最初にオンした際に、開口率が約３０％になり、この後、第２接点部４０ｂがオンした際に、開口率が約６０％になり、この後、僅かな時間差をおいて第３接点部４０ｃがオンしてスピーカ３２からの楽音の発音が開始される際に、開口率がほぼ１００％になるので、実施形態１と同様、鍵盤部８における複数の鍵１１の各開口部３５を通り抜ける演奏音が、押鍵された鍵１１に隣接する鍵１１の開口部３５から鍵盤部８の斜め前側上方に向けて明るい音で良好に放音することができる。
【００８３】
この状態で、鍵１１が更に押された後に初期位置に向けて復帰する際に、第３接点部４０ｃがオフになると、開口率がほぼ１００％から徐々に下がり始め、第２接点部４０ｂがオフになると、開口率が６０％に下がり、更に第１接点部４０ａがオフになり、スピーカ３２からの演奏音の発音が停止されるまでの間は、開口部３５の開口率が徐々に下がり、第１接点部４０ａがオフになると、開口部３５の開口率が約３０%になるので、開口率を１００％と３０％との間で大きく変化させることができ、これにより熟練者が演奏する際に、開口部３５を通り抜ける楽音の音量および音質をコントールする範囲が広くなるので、スピーカ３２で発音された楽音の音色を極めて微妙に変化させることができ、このため実施形態１よりも更に表現力を向上させることができる。
【００８４】
（実施形態３）
次に、図１３および図１４を参照して、この発明を適用した電子鍵盤楽器の実施形態３について説明する。この場合には、図１０〜図１２に示された実施形態２と同一部分に同一符号を付して説明する。
この電子鍵盤楽器は、図１３に示すように、鍵盤部８における複数の鍵１１のうち、白鍵１１ａの前端面にも開口部３５ａを設けた構成であり、これ以外は実施形態２とほぼ同じ構成になっている。
【００８５】
すなわち、白鍵１１ａの前端面は、図１３に示すように、白鍵１１ａが押鍵されていない初期状態の際に、楽器本体１の前板４の上方に露呈し、白鍵１１ａが押鍵される際に楽器本体１の前板４の後側に徐々に隠れるように構成されている。このため、白鍵１１ａの前端面に設けられた開口部３５ａは、白鍵１１ａが押鍵されていない初期状態の際に、開口率がほぼ１００％になるように構成されている。
【００８６】
また、白鍵１１ａの前端面に設けられた開口部３５ａは、白鍵１１ａが押鍵されると、その押鍵操作に伴って楽器本体１の前板４の後側に徐々に隠れて塞がれるため、開口率が徐々に下がってほぼ０％になるように構成されている。この場合にも、白鍵１１ａの前端面に設けられた開口部３５ａは、その上下方向の長さや前後方向の長さである幅が、スピーカ３２の性能および楽器本体１内の内部音響に応じて調整された状態で形成されている。
【００８７】
スイッチ部４０は、実施形態２と同様、鍵１１が押鍵操作された際に、鍵１１によってスイッチ動作する第１スイッチ４１と、鍵１１の押鍵操作に伴って回転するハンマー部材１２によってスイッチ動作する第２スイッチ４２とを備えている。すなわち、このスイッチ部４０は、鍵１１が押鍵操作された際に、最初に第１スイッチ４１が鍵１１によってオンし、この第１スイッチ４１がオンした後に、時間差をおいて第２スイッチ４２がハンマー部材１２によってオンするように構成されている。
【００８８】
これにより、このスイッチ部４０は、実施形態２と同様、鍵１１が押鍵操作されて第１接点部４０ａが鍵１１のスイッチ押圧部１９によって最初にオンし、この後、鍵１１の押鍵操作に伴って回転するハンマー部材１２のスイッチ押圧部４７によって第２接点部４０ｂがオンした後、僅かな時間差をおいて第３接点部４０ｃがオンすると、スピーカ３２からの楽音の発音を開始させ、この後、鍵１１が初期位置に向けて復帰する際に、第３接点部４０ｃおよび第２接点部４０ｂがその順で順次オフした後に、第１接点部４０ａがオフになると、スピーカ３２からの楽音の発音を停止させるように構成されている。
【００８９】
この場合、複数の鍵１１における白鍵１１ａの前端面に設けられた開口部３５ａは、図１４に示すように、白鍵１１ａが押鍵されていない初期状態の際に、開口率がほぼ１００％になり、鍵１１が押鍵操作されて第１接点部４０ａがオンした際に、開口率が約５０％になり、この後、第２接点部４０ｂがオンするまでは、開口率が徐々に下がり、第２接点部４０ｂがオンした際に、開口率がほぼ０％になるように構成されている。
【００９０】
このため、白鍵１１ａの前端面に設けられた開口部３５ａは、第３接点部４０ｃがオンしてスピーカ３２からの楽音の発音が開始された後に、白鍵１１ａが初期位置に向けて復帰して、第３接点部４０ｃと第２接点部４０ｂとがオフになるまでは、開口率がほぼ０％を維持し、第２接点部４０ｂがオフになると、開口率が徐々に上昇し、第１接点部４０ａがオフになってスピーカ３２からの楽音の発音が停止される際に、開口率が約５０％になり、白鍵１１ａが初期位置に復帰した際に、開口率がほぼ１００％になるように構成されている。
【００９１】
このような電子鍵盤楽器によれば、実施形態２と同様の作用効果があるほか、スイッチ部４０が、鍵１１の押鍵操作時に最初にオンする第１接点部４０ａと、この第１接点部４０ａがオンした後にオンする第２接点部４０ｂと、この第２接点部４０ｂがオンした後に僅かな時間差をおいてオンする第３接点部４０ｃとを備えており、白鍵１１ａの前端面に設けられた開口部３５ａは、白鍵１１ａが押鍵されていない初期状態で、開口率がほぼ１００％を維持し、白鍵１１ａが押鍵されて第１接点部４０ａがオンするまでは、開口率が徐々に下がって約５０％になり、この後、第２接点部４０ｂがオンすると、開口率がほぼ０％になることにより、熟練者が演奏する際に、スピーカ３２から発音された楽音の音色を複雑に且つ微妙に変化させることができる。
【００９２】
すなわち、複数の鍵１１における互いに隣接して対面する各側面に設けられた開口部３５は、図１４に示すように、鍵１１が押鍵操作されて第２接点部４０ｂがオンするまでは、開口率が徐々に上がって約６０％になると共に、白鍵１１ａの前端面に設けられた開口部３５ａは、第２接点部４０ｂがオンするまで、開口率が１００％から徐々に下がってほぼ０％になるため、鍵１１の側面に設けられた開口部３５と、白鍵１１ａの前端面に設けられた開口部３５ａとの両者の開口率は、相互に打消し合うように変化する。
【００９３】
また、第２接点部４０ｂがオンした後は、鍵１１の側面に設けられた開口部３５と、白鍵１１ａの前端面に設けられた開口部３５ａとの両者の開口率が、鍵１１の側面に設けられた開口部３５の開口率の変化のみに依存する。そして、第２接点部４０ｂがオンしてから僅かな時間差をおいて第３接点部４０ｃがオンすると、スピーカ３２からの楽音の発音が開始される。
【００９４】
このときには、鍵１１の側面に設けられた開口部３５の開口率が約６０％からほぼ１００％になるので、鍵盤部８における複数の鍵１１の各開口部３５、３５ａを通り抜ける演奏音は、押鍵された鍵１１に隣接する鍵１１の側面に設けられた開口部３５と、押鍵されていない白鍵１１ａの前端面に設けられた開口部３５ａとによって、鍵盤部８の斜め前側上方に向けて明るい音で良好に放音することができる。
【００９５】
この状態で、鍵１１が更に押された後に初期位置に向けて復帰する際に、第３接点部４０ｃがオフになると、鍵１１の側面に設けられた開口部３５の開口率がほぼ１００％から徐々に下がり、第２接点部４０ｂがオフになると、開口率が６０％に下がると共に、白鍵１１ａの前端面に設けられた開口部３５ａの開口率はほぼ０％を維持しているので、鍵１１の側面に設けられた開口部３５の開口率の変化のみに依存し、この開口率の変化によって実施形態２と同様にスピーカ３２からの演奏音の音色を微妙に変化させることができる。
【００９６】
この後、第１接点部４０ａがオフになり、スピーカ３２による演奏音の発音が停止されるまでは、鍵１１の側面に設けられた開口部３５の開口率が約６０％から約３０％に下がると共に、白鍵１１ａの前端面に設けられた開口部３５ａの開口率がほぼ０％からほぼ５０％に上がる。
【００９７】
このため、鍵１１の側面に設けられた開口部３５と、白鍵１１ａの前端面に設けられた開口部３５ａとの両者の開口率は、その両者の開口量が打消し合うように変化するので、スピーカ３２からの演奏音の音色を複雑に且つ微妙に変化させることができる。例えば、同じ鍵１１を連続して押鍵操作する連打の際に、衝撃音が短時間に重なって楽音が聞きづらくなるのを防ぐことができる。
【００９８】
（実施形態４）
次に、図１５〜図１７を参照して、この発明を適用した電子鍵盤楽器の実施形態４について説明する。この場合には、図１〜図８に示された実施形態１と同一部分に同一符号を付して説明する。
この電子鍵盤楽器は、図１６に示すように、鍵盤部８における複数の鍵１１のうち、黒鍵１１ｂの前端面が対面する白鍵１１ａの仕切面５０および黒鍵１１ｂの前端面の両方にも開口部３５ｂ、３５ｃをそれぞれ設けた構成であり、これ以外は実施形態１とほぼ同じ構成になっている。
【００９９】
すなわち、黒鍵１１ｂの前端面に設けられた開口部３５ｃは、図１５および図１６に示すように、隣接する白鍵１１ａが押鍵されていない初期状態で、隣接する白鍵１１ａの仕切面５０によって隠されることにより、塞がれた状態になるように構成されている。また、この黒鍵１１ｂの前端面に設けられた開口部３５ｃは、図１５および図１６に示すように、隣接する白鍵１１ａが押鍵されると、徐々に開口量が多くなり、隣接する白鍵１１ａが最も深く押されたときに開口量が最大になるように形成されている。
【０１００】
また、黒鍵１１ｂの前端面が対面する白鍵１１ａの仕切面５０に設けられた開口部３５ｂは、図１６および図１７に示すように、隣接する黒鍵１１ｂが押鍵されていない初期状態で、隣接する黒鍵１１ｂの前端面によって隠されることにより、塞がれた状態になるように構成されている。また、この白鍵１１ａの仕切面５０に設けられた開口部３５ｂは、図１６および図１７に示すように、隣接する黒鍵１１ｂが押鍵されると、徐々に開口量が多くなり、隣接する黒鍵１１ｂが最も深く押されたときに開口量が最大になるように形成されている。
【０１０１】
この場合、黒鍵１１ｂの前端面およびこれに対面する白鍵１１ａの仕切面５０の両方に設けられた開口部３５ｃ、３５ｂは、実施形態１と同様、鍵１１が押鍵操作されてスイッチ部１３の第１接点部１３ａがオンした際に開口率が約５０％になり、第１接点部１３ａがオンした後に時間差をおいてオンする第２接点部１３ｂがオンした際に開口率がほぼ１００％になるように構成されている。
【０１０２】
このため、黒鍵１１ｂの前端面およびこれに対面する白鍵１１ａの仕切面５０の両方に設けられた開口部３５ｃ、３５ｂは、実施形態１と同様、鍵１１が押鍵操作されて第１接点部１３ａが最初にオンした際に、開口率が約５０％になり、この後、時間差をおいて第２接点部１３ｂがオンしてスピーカ３２からの楽音の発音が開始される際に、開口率がほぼ１００％になるように構成されている。
【０１０３】
また、この黒鍵１１ｂの前端面およびこれに対面する白鍵１１ａの仕切面５０の両方に設けられた開口部３５ｃ、３５ｂは、鍵１１が押された後に初期位置に向けて復帰する際に、第２接点部１３ｂがオフになっても、開口率がほぼ１００％に保たれ、この後、時間差をおいて第１接点部１３ａがオフになり、スピーカ３２からの楽音の発音を停止させる際に、開口率が約５０％になるように構成されている。
【０１０４】
この場合にも、黒鍵１１ｂの前端面およびこれに対面する白鍵１１ａの仕切面５０の両方に設けられた開口部３５ｃ、３５ｂも、その上下方向の長さや前後方向の長さである幅が、スピーカ３２の性能および楽器本体１内の内部音響に応じて調整された状態で形成されている。
【０１０５】
このような電子鍵盤楽器においても、実施形態１と同様、鍵盤部８における複数の鍵１１を押鍵操作してスピーカ３２が楽音を楽器本体１内に放音し、そのほとんどの楽音が鍵盤部８の鍵盤シャーシ１０内を通り、鍵盤部８における複数の鍵１１の各開口部３５、３５ｂ、３５ｃを通り抜ける際に、押鍵操作に応じて鍵１１の開口部３５、３５ｂ、３５ｃの開口量が変化するので、各鍵１１に設けられた開口部３５、３５ｂ、３５ｃの開口状態の変化に応じて、楽音を微妙に変化させることができる。このため、複数の鍵１１の押鍵操作に応じてスピーカ３２で発生した音を微妙に変化させて複数の鍵１１の間から演奏者に向けて良好に放音させることができる。
【０１０６】
なお、上述した実施形態４では、スイッチ部１３が第１、第２の各接点部１３ａ、１３ｂを備えた構成である場合について述べたが、これに限らず、スイッチ部は、実施形態２のスイッチ部４０と同様に第１〜第３の各接点部４０ａ〜４０ｃを備えた構成であっても良い。また、これに限らず、実施形態３のように、白鍵１１ａの前端面にも開口部３５を設けた構成でも良い。
【０１０７】
また、上述した実施形態１〜４およびその変形例では、複数の鍵１１にそれぞれ設けられた開口部３５、３５ａ、３５ｂ、３５ｃが鍵盤部８のすべての音域に対して同じ開口条件で設けられている場合について述べたが、これに限らず、鍵盤部８における低音領域側と高音領域側とで開口部３５、３５ａ、３５ｂ、３５ｃの開口条件を変えた構成にしても良い。
【０１０８】
例えば、低音領域側の各鍵１１の開口部３５、３５ａ、３５ｂ、３５ｃにおける開口率の変化を大きく、高音領域側の各鍵１１の開口部３５、３５ａ、３５ｂ、３５ｃにおける開口率の変化を小さくしても良い。このように構成すれば、低音領域側の音色変化を大きくすることができるので、ローテンポで演奏する際に、低音領域側の演奏表現を向上させることができると共に、高音領域側の音色変化を小さくすることができるので、アップテンポで演奏する際に、高音領域側の演奏表現を向上させることができる。
【０１０９】
さらに、上述した実施形態１〜４およびその変形例では、ハンマー部材１２を備えた電子鍵盤楽器に適用した場合について述べたが、必ずしもハンマー部材１２を備えた電子鍵盤楽器である必要はない。この場合には、スイッチ部のうち、第１〜第３の各接点部４０ａ〜４０ｃを有するスイッチ部４０を、第１スイッチ４１と第２スイッチ４２とに分割せず、１つのドーム状の膨出部内に３つの接点部を設けた構成にすれば良い。
【符号の説明】
【０１１０】
１  楽器本体
８  鍵盤部
１０  鍵盤シャーシ
１１  鍵
１１ａ  白鍵
１１ｂ  黒鍵
１３、４０  スイッチ部
１３ａ、４０ａ  第１接点部
１３ｂ、４０ｂ  第２接点部
３２  スピーカ
３５、３５ａ、３５ｂ、３５ｃ  開口部
４０ｃ  第３接点部
５０  白鍵の仕切面
【図１】
0005381458.tif 000002
【図２】
0005381458.tif 000003
【図３】
0005381458.tif 000004
【図４】
0005381458.tif 000005
【図５】
0005381458.tif 000006
【図６】
0005381458.tif 000007
【図７】
0005381458.tif 000008
【図８】
0005381458.tif 000009
【図９】
0005381458.tif 000010
【図１０】
0005381458.tif 000011
【図１１】
0005381458.tif 000012
【図１２】
0005381458.tif 000013
【図１３】
0005381458.tif 000014
【図１４】
0005381458.tif 000015
【図１５】
0005381458.tif 000016
【図１６】
0005381458.tif 000017
【図１７】
0005381458.tif 000018